(57)【特許請求の範囲】
【請求項１】
半導体撮像素子を用いた電子カメラにおいて、
撮影した画像と共に、当該画像の撮影時におけるカメラ本体の手振れに関する情報を前記画像に関連づけて記録媒体に記録させる記録手段と、
前記画像の明るさを露出評価値として評価する露出評価部と、
前記記録媒体に記録された複数の前記画像から所定の基準として少なくとも前記手振れに関する情報と前記露出評価値とに基づいて１以上の前記画像を選択する画像選択手段と、
前記画像選択手段により選択された前記画像に対して印刷する旨のプリント予約ファイルを生成させるプリント処理手段と、
を備えたことを特徴とする電子カメラ。
【請求項２】
前記記録媒体には、前記画像がサムネイル画像として記録され、
前記露出評価部は、前記記録媒体に記録された前記サムネイル画像に基づいて露出状態を解析すると共に、画像明るさが所定範囲にある前記撮影画像を選択する、
ことを特徴とする請求項１記載の電子カメラ。
【請求項３】
前記記録手段は、前記手振れに関する情報と共にイメージセレクトの種別を示す情報を前記画像に関連付けて記録し、
前記画像選択手段は、前記イメージセレクトの種別に対応して前記手振れに関する情報と前記露出評価値とを修正する、
ことを特徴とする請求項１又は２のうちいずれか１項記載の電子カメラ。
【請求項４】
前記画像選択手段は、前記手振れに関する情報と前記露出評価値とに加えて、更にＡＦ評価値が相対的に高い前記画像を選択することを特徴とする請求項１乃至３のうちいずれか１項記載の電子カメラ。
【請求項５】
さらに、前記選択された前記画像を転送させる手段を備えることを特徴とする請求項１乃至４のうちいずれか１項記載の電子カメラ。
【請求項６】
さらに、前記選択された前記画像以外の前記画像を前記記録媒体から消去させる手段を備えることを特徴とする請求項１乃至４のうちいずれか１項記載の電子カメラ。
【請求項７】
さらに、前記選択された前記画像を画像プロテクトさせる手段を備えることを特徴とする請求項１乃至４のうちいずれか１項記載の電子カメラ。
【請求項８】
撮影した画像の明るさを露出評価値として評価する露出評価部と、
前記撮影した画像と共に、記録媒体に記録された前記画像の撮影時におけるカメラ本体の手振れに関する情報と前記露出評価値とに少なくとも基づいて所定の基準を満たす１以上の画像を選択する画像選択手段と、
前記画像選択手段により選択された前記画像に対して印刷する旨のプリント予約ファイルを生成させるプリント処理手段と、
を備えたことを特徴とする画像処理装置。
【請求項９】
前記画像選択手段は、前記手振れに関する情報と共に前記画像に関連付けて記録されたイメージセレクトの種別を示す情報に対応して、前記手振れに関する情報と前記露出評価値とを修正することを特徴とする請求項８記載の画像処理装置。
【発明の詳細な説明】
【０００１】
【発明の属する技術分野】
本発明は、電子カメラおよび画像処理装置に関する。
【０００２】
【従来の技術】
銀塩フィルムの代わりに、ＣＣＤ素子等の半導体固体撮像素子を利用し、この半導体個体撮像素子に被写体像を結像させてデジタル画像データ化して被写体画像を得るようにした電子カメラが広く用いられている。この電子カメラには着脱自在な記録媒体が設けられ、撮影され処理されたデジタル画像は、この記録媒体に記録される。
【０００３】
記録媒体には、主としてフラッシュメモリを用いたスマートメディアやコンパクトフラッシュ等のメモリカードが用いられているが、電子カメラ開発初期においては、メモリカードの記憶容量が小さかったこともあって、一つの記録媒体に多数の画像を記録するのは困難であった。
【０００４】
しかし、近年では、フラッシュメモリの一層の高集積化が進み、また、メモリカード大のカード媒体に格納した磁気ディスク装置も開発され、さらには、光磁気ディスクを用いた電子カメラ用の記録媒体も開発されるに至り、手軽に大容量の記録媒体を利用可能になった。
【０００５】
このような事情から、近年では一つの記録媒体に多数の画像を記録できるようになった。
【０００６】
【発明の解決しようとする課題】
このように、電子カメラに利用される記録媒体の小型大容量化が進み、電子カメラでは多数の画像をその記録媒体に記録できるようになったが、記録容量の問題が解決されると、今度は、各種の処理を行う上で記録媒体内の画像をいかに効率的に選択できるかが、問題となってくる。
【０００７】
画像の効率的選択は、記録媒体内の画像のプリント予約、さらには、携帯電話を使用した画像データ転送、記録媒体内の不要となった画像の消去等において重要である。
【０００８】
例えば、プリント予約について考えると、大量の写真を撮った場合に、すべての写真を詳細にチェックして、印刷するか否かの判断をするのは時間もかかり、煩雑である。従って、このような場合に、手振れやピンぼけのない良好な写真だけを自動選択して印刷できるようにしたり、連写画像やブラケット撮影（段階露出撮影；コマ毎に露出値を変えながら撮影を繰り返すことにより、同一構図の被写体像を異なる露出値の画像として撮影する手法）のうち、適正に撮影され、かつ、代表的な写真のみを自動的に選択して印刷できたりすると便利である。
【０００９】
また、ビル建設現場等の工事確認写真を、通信回線により転送するような場合に、手振れや露出不良等のある写真は自動的に省いて画質の良好なものだけを自動転送できると便利である。
【００１０】
そこで、本発明はこのような事情に鑑みてなされたもので、その目的とするところは、記録媒体に記録された複数の記録画像のうち、不適切な写真を自動的に省くことができるようにして、効率的な画像選択ができるようにした電子カメラおよび画像処理装置を提供することにある。
【００１１】
上記目的を達成するため、本発明は次のように構成する。すなわち、
［１］第１の発明は、半導体撮像素子を用いた電子カメラにおいて、撮影した画像と共に、当該画像の撮影時におけるカメラ本体の手振れに関する情報を画像に関連づけて記録媒体に記録させる記録手段と、画像の明るさを露出評価値として評価する露出評価部と、記録媒体に記録された複数の画像から所定の基準として少なくとも手振れに関する情報と露出評価値とに基づいて１以上の画像を選択する画像選択手段と、画像選択手段により選択された画像に対して印刷する旨のプリント予約ファイルを生成させる処理手段とを備えたことを特徴とする。
【００１３】
この結果、本発明によれば記録媒体に大量な画像が記録されている場合に、簡単かつ自動的に画像選択できる手段を提供することができ、手振れ写真の排除、適正露出写真のみのピックアップ等による選択写真のプリント予約データ転送等が容易にできるシステムが構築可能となる。
【００２０】
さらに本発明の画像選択手段は、手振れに関する情報と露出評価値に加えて、更にＡＦ評価値が相対的に高い画像を選択する構成とした。
【００２１】
そのため、同じ被写体を同じ構図で標準露出、アンダー露出、オーバ露出といった具合に、段階的に露出を変化させて連続撮影するブラケット撮影（段階露出撮影）や短時間に続けて何コマも撮影を繰り返す連写の場合に、相対的に合焦状態のよいものを選択するといったことが自動的に行えるようになる。
【００２２】
【発明の実施の形態】
以下、図面を参照して本発明の実施例を説明する。
【００２３】
本発明の電子カメラは、撮影した画像を記録する記録媒体に格納された多数の画像から、手振れ写真や不適性露光の写真を排除したり、同様な画像のうち手振れや不適性露出でなく、かつ最も合焦程度の良い写真を自動選択できるようにするモードである“お勧め選択モード”を備えるものである。この“お勧め選択モード”における評価項目は、例えば、手振れ、露出、合焦であり、また、この評価のための設定値は、イメージセレクトモードに応じて変更されるようして、イメージセレクト（ポートレート、夜景、スポーツ等といった写真ジャンル）に応じた適切な評価判断をできるようにして状況に即した適正な画像選択をがなされるようにして実用的、実際的なシステムを実現するようにしているもので、詳細を以下説明する。
【００２４】
図１は、本発明の一実施形態としてのシステム構成図である。図１において、１は電子カメラであり、データバス１０、レンズ系１１、ＣＣＤ素子１２、撮像プロセス１３、Ａ／Ｄ（アナログ／デジタル）変換器１４、タイミング生成器１５、ＡＥ（自動露出）・ＡＦ（オートフォーカス）機構１６、手振れ防止機構１７、メモリコントローラ１８、メモリ１９、メイン処理部２０、管理処理部２１、レリーズボタン２２、操作キー２３、確定ボタン２４、コントロールパネル２５、データ転送インタフェース２６、記録／再生インターフェース２７、記録媒体スロット２８、記録媒体２９、表示用液晶パネル（ＴＦＴパネル）３０とより構成される。また、３１は携帯電話機等の通信装置である。
【００２５】
電子カメラ１の構成要素のうち、ＣＣＤ素子１２は二次元撮像素子であり、レンズ系１１は被写体光学像をこのＣＣＤ素子１２に結像させるためのレンズなどにより構成される光学系である。
【００２６】
また、撮像プロセス１３は、ＣＣＤ素子に対して露光、素子シャッタ、ゲイン調整（ＩＳＯ設定）、電力供給等を制御して画像信号を得るためのものである。Ａ／Ｄ（アナログ／デジタル）変換器１４は、この撮像プロセス１３の制御により、ＣＣＤ素子１２から出力される画像信号をデジタルデータに変換するためのものである。
【００２７】
タイミング生成器１５は、ＣＣＤ素子１２の動作タイミングのためのタイミング信号を生成するためのものであり、ＡＥ（自動露出）・ＡＦ（オートフォーカス）機構１６は、カメラの露出やフォーカスの制御を行うための機構であり、手振れ防止機構１７は、動揺状態や傾斜を検出するためのセンサであるジャイロセンサを内蔵し、撮影時に当該ジャイロセンサがカメラ１に与えられる速度や加速度を検出するとその検出量対応にこのセンサが出力する検出信号（ジャイロ値）に基づき、モータを駆動させてレンズ系１１内の補正レンズを検出量対応に移動させ、振動を打ち消すように作用させて、手振れ分を補正することにより手振れ防止を図るものである。
【００２８】
また、メモリ１９は、電子カメラ１のメインメモリであり、ＤＲＡＭ（ダイナミックランダムアクセスメモリ）などにより構成されていて、カメラとしての制御処理や撮影画像の処理のための作業領域や画像データの一時保持などに用いられるものである。メモリコントローラ１８は、このメモリ１９のアクセスコントロールを担うメモリ用の制御装置である。
【００２９】
メイン処理部２０は、撮影と画像の圧縮・伸長処理、画像の表示処理などを司るものであって、前記ＡＥ・ＡＦ機構１６を制御するとともに、タイミング生成器１５、撮像プロセス部１３、メモリ１９等を制御することで撮影を制御し、メモリ１９、記録／再生インタフェース２７、データ転送インタフェース２６を制御することで画像の記録、再生、消去及びデータ転送（携帯電話による）を制御するものである。
【００３０】
レリーズボタン２２はカメラ１に対するシャッタ操作を指示するボタンであり、確定ボタン２４は機能を確定指示操作するためのボタンであり、操作キー２３は、ユーザがカメラ１に対して各種の操作入力を行うためのものであって、この操作キー２３は、例えば、十字式の入力キーで構成されていて、カメラの操作画面上において、その画面における上・下・左・右の方向に対するシフト操作指示を入力できるように構成される。すなわち、当該操作キー２３の操作により、カメラ１の画像表示液晶パネルに表示されるメニュー画面（カメラの操作画面）において機能選択を行うことができ、確定ボタン２４を操作することにより、その機能の選択確定をすることができる。
【００３１】
管理処理部２１は、メイン処理部２０に対してこれらボタン２２，２４や操作キー２３による操作入力の結果を通知することにより、撮影操作者からの撮影命令や操作命令を実行させるためのものである。このために、各種の操作ボタン（レリーズボタン２２、操作キー２３、確定ボタン２４等）からの各種操作入力を受け付け、その入力に応じた制御を各部に対して行うことができるようになっており、また、撮影モードや撮影条件、残撮影可能枚数等の各種情報をコントロールパネル２５に表示させるといった機能がある。
【００３２】
コントロールパネル２５は、撮影モードや撮影条件、残撮影可能枚数等といったカメラ操作に必要な各種情報を表示するためのディスプレイパネルである。また、データ転送インタフェース２６は、携帯電話等の通信装置３１への接続用のインターフェースであり、選択された画像を携帯電話等によりデータ転送する場合に用いられる通信インタフェースである。
【００３３】
また、記録／再生インターフェース２７は、メモリ１９から記録媒体２９までの間の読み書きを行うためのインタフェースであり、カメラ１に設けられた記録媒体スロット２８に装着された記録媒体２９への画像記録、当該記録媒体２９からメモリ１９への読出し、当該記録媒体２９内の画像の消去等を実行することができる。
【００３４】
記録媒体２９は、スマートメディアやコンパクトフラッシュ等による大容量メモリカードやカード型磁気ディスクドライブなどの大容量で、書き込み読み出しが可能な記録メディアであり、記録媒体スロット２８は、カメラ１の本体に、設けられてこの記録媒体２９を着脱自在に保持するためのスロットである。
【００３５】
表示用液晶パネル（ＴＦＴパネル）３０は、カメラ１に設けられた画像等の表示に供されるカラーディスプレイである。
【００３６】
前記メイン処理部２０は、画像処理部２０ａ、圧縮伸長処理部２０ｂ、表示制御部２０ｃ及び制御部２０ｄとから構成される。これらのうち、制御部２０ｄは、前記ＡＥ・ＡＦ機構１６を制御するとともに、タイミング生成器１５、撮像プロセス部１３、メモリ１９（実際にはメモリコントローラ１８）、画像処理部２０ａ、圧縮伸長処理部２０ｂを制御することで撮影を制御し、メモリ１９、圧縮伸長処理部２０ｂ、記録／再生インタフェース２７、表示制御部２０ｃ、データ転送インタフェース２６を制御することで画像の記録、再生、消去及びデータ転送（携帯電話による）を制御する、といった機能を有する。
【００３７】
また、画像処理部２０ａは、Ａ／Ｄ変換器１４から出力される画像データに対して、ホワイトバランス処理、カラー処理、ガンマ補正、シャープネス調整等の処理を行うためのものであり、また、このような処理を施した画像データからサムネイル画像を作成処理機能をも有する。圧縮伸長処理部２０ｂは、画像データを圧縮符号化処理することにより、画像圧縮処理し、また、画像圧縮処理された画像データを伸長処理してもとの画像データに復元するといった処理を施すものである。表示制御部２０ｃは、圧縮伸長処理部２０ｂにより伸長された画像や、ＣＣＤ素子１２の撮像中の画像、管理処理部２１より与えられるメニュー画面などをカメラ背面の表示用液晶パネル（ＴＦＴパネル）３０に表示すべく制御するためのものである。
【００３８】
また、メイン処理部２０における前記制御部２０ｄは、露出評価部２０ｄ１、ＡＦ評価算出部２０ｄ２、選択評価指標値生成部２０ｄ３、選択判定部２０ｄ４、各種処理部２０ｄ５から構成される。
【００３９】
これらのうち、ＡＦ評価算出部２０ｄ２は、撮影実行時のＡＦ評価値を計算して求めるものであって、当該算出したＡＦ評価値を選択評価指標値生成部２０ｄ３に与えることで、当該写真のＡＦ評価値を画像ファイルに含めることができるようにしてある。本電子カメラ１は、ＡＦ機構としてコントラストＡＦ方式（山登りＡＦ）を採用しており、従って、この場合、ＡＦ評価値としてはコントラスト値が用いられる。
【００４０】
また、選択評価指標値生成部２０ｄ３は、記録媒体２９に格納されるべき画像ファイル（または記録媒体２９中の選択評価指標値ファイル）に付加して格納させるための情報である“選択基準情報”を発生するためのものであって、本発明において特徴的な機能である“お勧め選択”を行うのに必要な情報である“選択基準情報”を生成するものである。この“選択基準情報”は、ＡＦ評価算出部２０ｄ２の出力する上記ＡＦ評価値と、各種操作手段（キー、ボタン、ダイヤル）により指定され、管理処理部２１を介してメイン処理部２０に入力される“イメージセレクト種別”の情報と、連写、単写あるいはブラケット等の“撮影種別”の情報と、手振れ防止機構から入力されるジャイロ値の情報である。
【００４１】
選択判定部２０ｄ４は、画像ファイルの情報及び選択評価指標値に基づいて、手振れ評価、画像明るさ評価（露出評価）及びＡＦ評価を実行し、お勧め画像の選択判定を実行するものである。例えば、手振れ評価は、ジャイロ値で評価するが、このジャイロ値が所定値以下であれば手振れ写真でないと判断し、お勧め画像に含めるように機能させ、所定値以上であればお勧め画像に含めないように機能させる。
【００４２】
露出評価部２０ｄ１は、画像の明るさを評価するものであって、現実の撮影画像を元にして露出評価結果を得るものであり、例えば、メモリ１９から読み出したＹ．Ｕ．ＶデータのうちのＹのデータ成分（輝度データ成分（“０”〜“２５５”））や、サムネイル画像のＹのデータ成分、いわゆる輝度値の画面平均値から評価する。
【００４３】
この輝度平均値が所定の範囲内に入っていれば適正露光であると判断し、設定範囲を外れていれば露光不良と判断して評価結果として選択判断部２０ｄ４に与えるものである。従って、選択判断部２０ｄ４は適正露光と評価された画像はお勧めに加え、露光不良と評価された画像はお勧めから外すと云った選択処理を実施するようにしてある。
【００４４】
なお、露出評価部２０ｄ１は、画像の明るさを調整実行するときに、画像処理等を実行することになるので、特にその部分を選択判定部２０ｄ４から分けたものであるが、この露出評価部２０ｄ１は選択判定部２０ｄ４に含めてもよい。
【００４５】
各種処理部２０ｄ５は、“お勧め選択”のモード時に、当該“お勧め選択”が終了した後に、その最終的なお勧め選択結果を用いて各種の処理を実行（制御）するものであり、処理項目としては、プリント予約、画像転送、消去、消去防止処理（画像プロテクト）等がある。なお、この各種処理部２０ｄ５は、“お勧め選択”が終了した後に、その最終的なお勧め選択結果を用いて各種の処理を実行（制御）する部分である（図７）が、上述の処理項目毎に処理部を別々に設けるようにした構成としてもよい。
【００４６】
次に、このような構成の本装置の作用を説明する。まずはじめに、本カメラ装置の一般的な動作の概要を説明する。
【００４７】
＜システムの全体的一般的な説明＞
この電子カメラ１においては、操作キー２３を操作することにより、予めイメージセレクト、撮影モードなどを設定しておくことができる。
【００４８】
ここで、イメージセレクトとは、写真のジャンルがポートレートであるのか、夜景であるのか、スポーツであるのか、なし（標準）であるのか等々といった種別であり、撮影モードとは、単写（標準）撮影なのか、連写撮影なのか、ブラケット（段階露出）撮影なのかといった撮影状況区分である。
【００４９】
そして、イメージセレクトは、操作キー２３の操作により、イメージセレクトの選択メニューにし、ポートレートを撮影したいのならば“ポートレート”を、夜景を撮影したいならば“夜景”を、スポーツ撮影したいならば“スポーツ”といったように、所望のジャンルを選択し、確定ボタン２４を操作することでそのジャンルを指定することができる。そして、撮影時（レリーズボタン２２を押したとき）、前述のメニュー上で選択して現在登録されているジャンル情報（イメージセレクト情報）に従い、そのジャンルでの写真を撮影するに最適な露出、シャッタスピード、絞り値などをそのジャンルの写真撮影に適するように予め設定してある条件に従ってＡＥ・ＡＦ機構１６、撮影プロセス１３などを制御することで、選択ジャンル対応の最適撮影条件に見合う撮影制御がなされる。
【００５０】
また、グループ属性値は、操作キー２３の操作により撮影モードを選択し、この撮影モードにおける“単写（１コマ撮影）”、“連写（連続コマ送り撮影）”、“ブラケット（段階露出；露出値をコマ毎に標準、アンダー、オーバと自動的に切り換える）撮影”、など目的対応に所望のものに選択し、確定ボタン２４を押して決定することにより、登録設定されたその撮影モードでの撮影がなされるよう、制御部２０が機能してＡＥ・ＡＦ機構１６や撮影プロセス１３などを制御することなる。
【００５１】
このような各種設定をした後、電源オンの状態でユーザはこの電子カメラ１を被写体に向けて構える。すると、被写体の光学像がレンズ系１１を介して二次元固体撮像素子であるＣＣＤ素子１２の受光面に結像され、当該ＣＣＤ素子１２における各画素を構成しているセルに電荷が蓄積される。
【００５２】
そして、レリーズボタン２２を押すことにより被写体は撮影されることとなる。
【００５３】
すなわち、レリーズボタン２２が押されると、その瞬間にレンズ系１１はＡＥ・ＡＦ機構１６によりＡＥ・ＡＦが制御され、手振れ防止機構１７により手振れ相当分の調整がなされて手振れ補償がなされる。
【００５４】
このとき、ＣＣＤ素子１２は、撮像プロセス部１３によって、露光、素子シャッタ、ゲイン調整（ＩＳＯ設定）、電力供給等が制御され、画像を生成する。
【００５５】
ここで、ＣＣＤ素子１２からのデータ読み出しタイミングは、タイミング生成器１５によって生成される。ＣＣＤ素子１２の各セルに発生した被写体光学像対応の電荷は撮像プロセス部１３の制御によって順に読み出されることにより、画像信号となり、この画像信号は、Ａ／Ｄ変換器１４によりデジタルデータ化されて、データバス１０へと出力される。そして、このデジタルデータ化された画像信号はメモリコントローラ１８の制御のもとにデータバス１０を介してメモリ１９の作業領域に格納される。
【００５６】
このメモリ１９に格納されたデータは、以下、メイン処理部２０の処理及び制御により、記録媒体２９への記録、表示用液晶パネル３０への表示などの処理がなされることになる。
【００５７】
詳細に動作を追って説明する。レリーズボタン２２の操作により、管理処理部２１はシャッタ操作の指令を受けたと認識してメイン処理部２０に撮影処理の指令を発令する。すると、メイン処理部２０では当該メイン処理部２０の構成要素である制御部２０ｄが、前記ＡＥ・ＡＦ機構１６を制御するとともに、タイミング生成器１５、撮像プロセス部１３、メモリ１９（実際にはメモリコントローラ１８）、画像処理部２０ａ、圧縮伸長処理部２０ｂを制御することで撮影を制御し、また、メモリ１９、圧縮伸長処理部２０ｂ、記録／再生インタフェース２７、表示制御部２０ｃ、データ転送インタフェース２６を制御することで画像の記録、再生、消去及びデータ転送（携帯電話による）を制御する。
【００５８】
このとき、メイン処理部２０の画像処理部２０ａは、ホワイトバランス処理、カラー処理、ガンマ補正、シャープネス調整等を行う。また、圧縮伸長処理部２０ｂは、ＪＰＥＧ圧縮処理または伸長処理を実行する。
【００５９】
具体的には、Ａ／Ｄ変換器１４によるＡ／Ｄ変換後にメモリ１９の作業領域１９ａに格納された画像データは、画像処理部２０ａによって、ホワイトバランス処理、カラー処理、ガンマ補正、シャープネス調整等の処理を施されて写真用の静止画情報に変換され、さらに圧縮伸長処理部２０ｂにより圧縮処理（ＪＰＥＧ）されて、メモリ１９内の画像保持領域１９ｂに一時格納される。また、画像処理部２０ｂは前記補正後の画像データを用いてデータの間引きを行う手法などの既知の手法により、サムネイル画像を作成し、画像保持領域１９ｂに一時格納させる。
【００６０】
このように画像保持領域１９ｂは、圧縮後の画像を一時的に格納し、また、再生画像を保持するものであり、ｎ枚の画像を記録できるように構成されているが、状況（非圧縮記録選択時や再生時など）により非圧縮状態の画像も保持可能である。
【００６１】
メモリ１９における画像保持領域１９ｂに記録された画像は、メイン処理部２０における制御部２０ｄの制御のもとに、記録／再生インターフェース２７を介して記録媒体２９に選択評価指標値の情報とともに格納させる。
【００６２】
このとき、記録媒体２９に格納させる形式は、図２（ａ）に示す如きの所定のファイルフォーマットによるデータ形式か、または、図２（ｂ）に示す形式を以てなされる。
【００６３】
すなわち、図２は本発明の電子カメラシステムにおいて採用している画像および選択評価指標値のデータの記録媒体２９への格納方式（二種類）を示すものであり、図２（ａ）は、撮影時に得られた各種基準値情報をそれぞれの画像ファイルのヘッダ情報に含める方式とした場合の例である。また、図２（ｂ）は、各種基準値情報を画像ファイルとは異なる一つのファイルとして記録する形式を採用した場合の例であり、撮像して得た各画像のファイル（画像ファイル）ｐ１，ｐ２，…ｐｎと、撮影時に得られたこれらの画像の選択評価指標値のテーブル（選択評価指標値ファイル）ｔが記録媒体に別個に格納されている形式である。
【００６４】
図２（ａ）の形式の場合、ヘッダ情報及びサムネイル画像とともに、画像のデータは記録媒体に格納させることになる。ヘッダ情報には、イメージセレクト、ジャイロ値、ＡＦ評価値、グループ属性値などが含まれる。
【００６５】
これらのうち、イメージセレクトの区分には、前述の写真のジャンルであるポートレート、夜景、スポーツ等々といった種別が設定対応に取り込まれて記録される。グループ属性値には、前述の単写、連写、ブラケット（段階露出）などのうち、設定されて利用された撮影モード情報が取り込まれて記録される。また、ヘッダ情報におけるＡＦ評価値とは、オートフォーカスの評価値であり、ジャイロ値とは、ブレの状況値である。
【００６６】
ここで、ＡＦ評価値には、撮影時（レリーズボタン２２を押したとき）におけるＡＦ評価値算出部２０ｄ２で求められた値が用いられる。また、撮影時における、手振れ防止機構１７のジャイロセンサより得られるジャイロ値を、ブレの客観的な状況値として取り込み、これを前記ヘッダ情報におけるジャイロ値として用いている。
【００６７】
すなわち、本電子カメラ１に加えられた振動は、手振れ防止機構１７におけるジャイロセンサによって検出される。手振れは、撮影時にジャイロセンサが与えられる速度や加速度として評価できる。そして、電子カメラ１に与えられる速度や加速度を検出すると、このジャイロセンサ出力（ジャイロ値という）に基づき、モータでレンズ系１１内の補正レンズを移動させて振動を打ち消すことにより、手振れを防止することになるが、振動の質や大きさによっては手振れ防止機構１７でも電子カメラ１への振動を吸収しきれない場合もあることから、上記ジャイロ値は撮影画像が手振れ写真となっているか否かの一つの指標にも利用できる。従って、本電子カメラ１では、ジャイロセンサの出力（ジャイロ値）を取り込み、これを前記ヘッダ情報におけるジャイロ値として記録する。
【００６８】
図２（ａ）の形式の場合、得られたジャイロ値、グループ属性値、ＡＦ評価値、イメージセレクトの各情報を選択評価指標値生成部２０ｄ３では、ヘッダ情報にまとめ、これをメイン処理部２０は画像本体やサムネイル画像とともに図２（ａ）の形式に整えて記録／再生インタフェース２７を介して記録媒体２９に記録させることになる。
【００６９】
一方、図２（ｂ）の形式の場合は、得られたジャイロ値、グループ属性値、ＡＦ評価値、イメージセレクトの各情報を受けた選択評価指標値生成部２０ｄ３は、これら情報を集約してファイル対応にまとめてテーブル化し、これを選択評価用の選択基準ファイルｔとして出力する。これをメイン処理部２０は画像本体やサムネイル画像とは別に記録／再生インタフェース２７を介して記録媒体２９に記録させることになる。
【００７０】
このようにして、画像（画像本体、サムネイル画像）と選択評価指標値（選択評価用）の情報とが撮影毎に記録媒体２９に記録されていく。
【００７１】
そして、画像を再生したいときには、操作キー２３を操作して、所望のファイル番号の画像ファイルを指定し、表示操作することにより、メイン処理部２０は記録／再生インタフェース２７を介して記録媒体２９より該当のファイルを読み出し、一旦、メモリ１９の作業領域に格納した後、これをメイン処理部２０の圧縮伸長処理部２０ｂにより伸長処理して画像を復元し、表示制御部２０ｃがこれを表示制御することで、表示用液晶パネル３０には画像が表示されることになる。
【００７２】
＜“お勧め選択”機能＞
ここで、本発明における電子カメラ１には、“お勧め選択”機能がある。この機能は、記録媒体２９に記録されている画像のうち、良質のもののみを自動的に選択してプリント用の画像として出力したり、画像転送したり、消去防止したり、質の悪いものを自動的に消去の対象として選択するといったことができる機能である。
【００７３】
すなわち、“お勧め選択モード”を設定すると、メイン制御部２０における制御部２０ｄでは、記録媒体２９に格納された画像から手振れ写真や不適性露光の写真を排除したり、同様な画像のうち手振れや不適性露出でなく、かつ最も合焦程度の良い写真を自動選択する。これは記録媒体２９に記録されている各画像ファイルにおけるヘッダ情報を評価することで行われる。評価項目は、手振れ、露出、合焦である。また、この評価のための設定値（判断基準値）は、イメージセレクトモードに応じて変更され、イメージセレクト（ポートレート、夜景、スポーツ等）に応じた適切な評価判断がなされる。
【００７４】
プリント予約や転送予約の場合には、これによって、選択された画像の情報がプリント予約ファイルあるいは転送画像予約ファイルとして記録媒体２９に格納保存され、この予約ファイルに基づいた画像プリントや転送ができるようにしている。
【００７５】
このような“お勧め選択”機能は、具体的に次のような制御によって実現される。すなわち、本発明の電子カメラ１においては、“お勧め選択”の機能を利用するに当たり、本電子カメラ１の操作キー２３を操作する。これに伴う管理処理部２１の働きにより、コントロールパネル２５上に表示されるメニューの項目がシフトされるが、“お勧め選択”のモード設定のレイヤに至った段階で、確定ボタン２４を押すことで、このレイヤを選択決定することができる。
【００７６】
すると、メイン処理部２０は記録媒体２９に記録されている各画像における“選択基準情報”を順次読み出し、次の処理を行う（図６のステップＳ１０１）。
【００７７】
メイン処理部２０は記録媒体２９から読み出した第１番目の画像ファイルの“選択基準情報”を用い、イメージセレクトモードはポートレートか否かを調べる（図６のステップＳ１０２）。そして、その結果、ポートレートでなければイメージセレクトモードは夜景であるか否かを調べる（図５ステップＳ１０３）。その結果、夜景でなければイメージセレクトモードはスポーツであるか否かを調べる（図６のステップＳ１０４）。そして、その結果、スポーツでなければ図５に示すお勧めグループ選別を行う（図６のステップＳ１０８）。
【００７８】
また、ステップＳ１０２でのチェックの結果、ポートレートであった場合にはジャイロ値の判断基準値を高め（手振れ評価を厳しくする）に設定し直し（図６のステップＳ１０５）、その後に図５に示すお勧めグループ選別の処理に移る（図６のステップＳ１０８）。
【００７９】
また、ステップＳ１０３でのチェックの結果、夜景であった場合にはジャイロ値の判断基準値を低め（手振れ評価を緩くする）に設定し直し、かつ、ＢＶ許容設定範囲を広くし（図５ステップＳ１０６での処理）、その後に図５に示すお勧めグループ選別の処理に移る（図５ステップＳ１０８）。
【００８０】
また、ステップＳ１０４でのチェックの結果、スポーツであった場合にはジャイロ値の判断基準値を低め（手振れ評価を緩くする）に設定し直し（図５ステップＳ１０７での処理）、その後に図５に示すお勧めグループ選別の処理に移る（図６のステップＳ１０８）。
【００８１】
すなわち、ステップＳ１０２でのチェックの結果、ポートレートの場合に、ステップＳ１０５においてジャイロ値の判断基準値を高め（手振れ評価を厳しくする）に設定し直すのは、ポートレートの場合、それは人物写真であるから、手振れをを極力排除したいがためであり、また、ステップＳ１０３でのチェックの結果、夜景の場合にステップＳ１０６でジャイロ値の判断基準値を低め（手振れ評価を緩くする）に設定し直し、かつ、輝度平均値の許容設定範囲を広くするのは、夜景の場合、長時間露出になり易く、手振れを有る程度許容せざるを得ないがため、および、暗いところでの撮影であるから明るさ範囲はずれ易いので基準を甘くする必要があるためであり、また、ステップＳ１０４でのチェックの結果、スポーツの場合に、ステップＳ１０７においてジャイロ値の判断基準値を低め（手振れ評価を緩くする）に設定し直すのは、動きのある被写体を対象としているがために手振れし易いので基準を甘くする必要があるためである。
【００８２】
このように、評価対象画像の選択評価指標値としての手振れ評価値および輝度平均値に対して、イメージセレクトモード対応の必要な補正を終えたならば、次にステップＳ１０８における処理を施すことになる。当該ステップＳ１０８の処理においては、ＡＦ評価およびお勧めグループ選別処理を実施する。
【００８３】
＜ＡＦ評価およびお勧めグループ選別＞
ステップＳ１０８の処理は図５に示す如きの処理であって、記録媒体２９から当該評価対象画像の画像のグループ属性を読み出す（ステップＳ３１）。これは、例えば、画像ファイルのヘッダ情報から得たり、選択基準ファイルから得る。
【００８４】
そして、その属性からグループ画像か否かを判断し（ステップＳ３２）、グループ画像でなけれはここでの処理を終えて図６におけるステップＳ１０９の処理へと移る。
【００８５】
一方、ステップＳ３２の判断の結果、グループ画像であればグループに属するすべての画像について、手振れ評価（図３の処理）および画像の明るさ評価（図４の処理）を実施する（ステップＳ３３）。
【００８６】
そして、手振れ評価および画像の明るさ評価の処理を終えたならば、次にグループに属し、かつ、ステップＳ３３での処理でお勧め選択された全ての画像について、ＡＦ評価値を読み出す（ステップＳ３４）。
【００８７】
そして、次にＡＦ評価値が最も高い画像をお勧め選択に加え、その他の画像をお勧め選択から外す（ステップＳ３５）。
【００８８】
そして、ここでの処理を終えて図６におけるステップＳ１０９の処理へと移る。
【００８９】
なお、ステップＳ３５でのお勧め選択処理は、上述の例の他、ＡＦ評価値が上から数枚（例えば、２，３枚）のもの全てをお勧め選択するようにしたり、あるいはグループ全体数に対する一定割合のものを基準上位からとってお勧め選択とするようにしても良い。
【００９０】
以上が、ＡＦ評価およびお勧めグループ選別処理である。
【００９１】
＜手振れ評価＞
ステップＳ３３における手振れ評価処理は図３に示す如きの処理であって、記録媒体２９から当該評価対象画像の画像のジャイロ値（ヘッダ情報あるいは選択評価指標値ファイルに格納）を読み出す（ステップＳ１１）。
【００９２】
そして、そのジャイロ値が設定値以下か否かを判断し（ステップＳ１２）、設定値以下でなければ手振れは少ないと判断し、その画像をお勧め選択に加える（ステップＳ１３）。そして、ここでの処理を終えて画像の明るさ評価に移る。
【００９３】
一方、ステップＳ１２の判断の結果、ジャイロ値が設定値（判断基準値）以上であった場合には手振れが多いと判断してその画像をお勧め選択から外す（ステップＳ１４）。そして、ここでの処理を終えて画像の明るさ評価に移る。
【００９４】
＜画像の明るさ評価＞
ステップＳ３３における画像の明るさ評価処理は図４に示す如きの処理であって、記録媒体２９からサムネイル画像を読み出す（ステップＳ２１）。そして、読み出したサムネイル画像の画像全体の輝度値の平均値を評価する（ステップＳ２２）。そして、次に平均輝度値が設定範囲内（判断基準値内）にあるか否かを調べ（ステップＳ２３）、設定範囲内（判断基準値内）であればその画像をお勧め選択に加える（ステップＳ２４）。そして、ここでの処理を終える。
【００９５】
また、ステップＳ２３でのチェックの結果、設定範囲内でなければその画像をお勧め選択から外す（ステップＳ２５）。そして、ここでの処理を終える。
【００９６】
なお、ステップＳ２１の処理の変形例として、サムネイル画像の評価の代わりに画像本体を読み出し、画面全体もしくは特定のエリアで上記のような評価をするようにしても良い。サムネイル画像を利用した場合には、高速処理が可能であり、画像本体を利用する場合は精度が高いというメリットがある。
【００９７】
以上のようにして、お勧めグループ選別の処理を終えたならば、図６におけるステップＳ１０９の処理へと移る。
【００９８】
図６におけるステップＳ１０９では、お勧めグループ選別は実行されたか否かを判断する。その結果、お勧めグループ選別が実行されていなければステップＳ１１６の処理へと移り、お勧めグループ選別が実行されていればステップＳ１１０の処理へと移る。
【００９９】
ステップＳ１１０では図３で説明した手振れ評価を行う。そして、評価対象画像はお勧め選択としたか否かをチェックし（ステップＳ１１１）、お勧め選択とした場合には、図４で説明した明るさ評価を実施する（ステップＳ１１２）。そして、ステップＳ１１３の処理に移る。
【０１００】
ステップＳ１１３では評価対象画像はお勧め選択となったか否かをチェックし、お勧め選択となっていなければステップＳ１１５の処理に移り、その画像をお勧め選択から外す処理をしてステップＳ１１６の処理に移る。
【０１０１】
一方、ステップＳ１１１の判断の結果、お勧め選択としていなかった場合には、ステップＳ１１５の処理に移り、その画像をお勧め選択から外す処理をしてステップＳ１１６の処理に移る。
【０１０２】
また、ステップＳ１１３での判断の結果、評価対象画像がお勧め選択となったならばステップＳ１１４の処理に移り、その画像を最終的なお勧め選択に加える処理を行う。そして、ステップＳ１１６の処理に移る。
【０１０３】
ステップＳ１１６においては記憶媒体２９の全画像について選択評価を終了したか否かをチェックし、終了していなければステップＳ１０１の処理に戻って以降、上述の如きの処理を進める。また、ステップＳ１１６においてのチェックの結果、記憶媒体２９の全画像について選択評価を終了していれば、図６のお勧め選択処理を終了する。
【０１０４】
なお、上述の図６に示した実施例では記憶媒体２９からの情報読み出しは評価項目毎に別々としたが、これは別々とせずに一度に全て、読み出して処理を進めるようにしても良い。
【０１０５】
このようにして、メイン処理部２０により“お勧め選択”機能による処理を終えると、撮影条件対応にそれぞれ選択されたお勧め画像がどれとどれであるのかという情報が得られるが、この得られた結果はメイン処理部２０の構成要素の一つである各種処理部２０ｄ５による処理のもとに、次のようにして利用される。
【０１０６】
＜お勧め選択画像の利用＞
この実施例の場合、お勧め選択画像の利用形態には、例えば、“お勧め以外消去”、“お勧めプロテクト”、“お勧めプリント”、“お勧めデータ転送”などが用意されている。“お勧め以外消去”はお勧め選択された画像以外の不良画像を一括して消去してしまうモードであり、“お勧めプロテクト”はお勧め選択された画像を誤って消去できないように、一括してプロテクトをかけてしまうモードであり、“お勧めプリント”はお勧め選択された画像を逐次、プリント出力させるように制御するモードであり、“お勧めデータ転送”はお勧め選択された画像を逐次、転送出力させるように制御するモードである。
【０１０７】
図７を参照して説明する。いま、操作キー２３を操作して“お勧め以外消去”、“お勧めプロテクト”、“お勧めプリント”、“お勧めデータ転送”などのうち、所望のお勧め処理種別を選択入力する（ステップＳ２０１）。
【０１０８】
すなわち、本電子カメラ１の操作キー２３を操作してコントロールパネル２５上に表示されたメニューの項目をシフトさせ、“お勧め選択”のモード設定のレイヤに至った段階で、ユーザは当該“お勧め選択”モード設定のレイヤにおいて、どの種別に設定するかを選択するが、お勧め選択には“お勧め以外消去”、“お勧めプロテクト”、“お勧めプリント”、“お勧めデータ転送”等の種別があるから、その中の所望の種別を操作キー２３で選択して確定ボタン２４を押すことで種別決定する。この様子は管理処理部２１の機能によりコントロールパネル２５上に表示され、ユーザは何を設定しようとしたか、何を設定したかが画面上からわかる。
【０１０９】
管理処理部２１は、メイン処理部２０に対してこれらボタン２２，２４や操作キー２３による操作入力の結果を通知するので、撮影操作者からの撮影命令や操作命令を受けることができる。
【０１１０】
お勧め処理種別の選択入力を受けた管理処理部２１は、この入力をメイン処理部２０に伝達する。
【０１１１】
これにより、メイン処理部２０は図６で説明したお勧め選択処理を実行する（ステップＳ２０２）。
【０１１２】
すなわち、メイン処理部２０はまずはじめに、処理種別は何かを判断する（ステップＳ２０３）。その結果、“お勧め以外消去”であった場合には、お勧め選択された画像以外の全ての画像を記録媒体２９から消去することについて確認を求める（ステップＳ２０４）。そして、本当に消去するか判断し（ステップＳ２０５）、“消去する”の指示であればお勧め選択された画像以外の全ての画像を記録媒体２９から消去すべく実行する（ステップＳ２０６）。すなわち、メイン処理部２０は記録／再生インタフェース２７にお勧め選択対象以外の画像ファイルを消去するように指示を与え、記録／再生インタフェース２７はこれに従って、記憶媒体２９の画像ファイルのうち、お勧め選択対象以外の画像ファイルを消去するように動作する。その結果、記憶媒体２９からはお勧め対象以外の画像が消去されることなる。この処理を実行するとメイン処理部２０は当該図７の処理を終了する。
【０１１３】
一方、ステップＳ２０３での処理種別判断の結果、処理種別が“お勧めプロテクト”であった場合には、メイン処理部２０はステップＳ２０７の処理を実行する。すなわち、ステップＳ２０７ではお勧め選択された全ての画像について画像プロテクトを施すように指示を与え、記録／再生インタフェース２７はこれに従って、記憶媒体２９の画像ファイルのうち、お勧め選択対象となった画像ファイルが消去できないようにプロテクトをかけるべく動作する。その結果、記憶媒体２９内のお勧め選択となった対象画像は消去されないようにプロテクトがかけられることなる。この処理を実行するとメイン処理部２０は当該図７の処理を終了する。
【０１１４】
また、ステップＳ２０３での処理種別判断の結果、処理種別が“お勧めプリント”であった場合には、メイン処理部２０はステップＳ２０８の処理を実行する。すなわち、ステップＳ２０８ではお勧め選択された全ての画像についてプリントする旨のプリント予約ファイルを作成する。そして、これを記録指示と共に記録／再生インタフェース２７に与える。これにより、記録／再生インタフェース２７はこれに従って、記憶媒体２９にこのプリント予約ファイルを記憶させる。
【０１１５】
その結果、記憶媒体２９内にはお勧め選択となった対象画像がどれとどれであるかがわかるプリント予約ファイルが記憶される。この処理を実行するとメイン処理部２０は当該図７の処理を終了する。
【０１１６】
プリントする場合には、この記憶媒体２９内のプリント予約ファイルに基づいて記憶媒体２９内の画像ファイルを読み出してプリントに供すべく、プリンタやパソコンなどのプリント制御アプリケーションプログラムを作成しておき、プリンタやパソコンなどにより、該当のファイルを読み出してプリントさせるように制御させれば、画質の良好な画像について自動選択してプリントさせることができるようになる。
【０１１７】
また、ステップＳ２０３での処理種別判断の結果、処理種別が“お勧めデータ転送”であった場合には、メイン処理部２０はステップＳ２０９の処理を実行する。すなわち、ステップＳ２０９ではお勧め選択された全ての画像についてその画像ファイルをデータ送信する旨の予約情報をファイルした転送画像予約ファイルを作成する。そして、これを記録指示と共に記録／再生インタフェース２７に与える。これにより、記録／再生インタフェース２７はこれに従って、記憶媒体２９にこの転送画像予約ファイルを記憶させる。
【０１１８】
その結果、記憶媒体２９内にはデータ転送すべきお勧め選択画像がどれとどれであるかがわかる予約ファイルが記憶される。次にメイン処理部２０は本当にデータ転送するのかをユーザに問い合わせるべく、管理処理部２１に問い合わせの指示を出し、管理処理部２１がこれに従ってコントロールパネル２５に問い合わせ表示をするので、ユーザが操作キー２３と確認ボタン２４を操作してこの問い合わせに答える。その結果がＹｅｓすなわち“転送する”であればメイン処理部２０は、転送画像予約ファイルに基づいて記憶媒体２９内の画像ファイルを読み出すべく、記録／再生インタフェース２７に指示を出し、これに従って記録／再生インタフェース２７は予約ファイルに該当する画像ファイルを記憶媒体２９から読み出す。そして、転送インタフェース２６に送る。転送インタフェース２６はこの送られてくる画像ファイルを携帯電話などの通信装置３１に送り出し、通信網につながる遠隔地の相手通信端末へと画像ファイルが伝送されることとなる。
【０１１９】
この処理を実行するとメイン処理部２０は当該図７の処理を終了する。
【０１２０】
なお、問い合わせ表示に対してユーザの操作キー２３と確認ボタン２４による操作がＮｏすなわち“転送しない”であればメイン処理部２０は、当該図７の処理を終了する。
【０１２１】
このように、本発明は、画質に寄与する種々の評価項目の実際値を撮影時にコマ毎に情報収集しておき、お勧め選択を指定すると、各コマの収集情報を評価して映像として質が良いと評価される画像を自動選択し、転送やプリント、プロテクト、消去などを行う際の選別基準とするようにしたので、大量の写真を記憶媒体に記憶した場合においても、質の良い写真について自動選別することができるので操作性が格段に向上する。
【０１２２】
特に、本発明では、選択方法として、まず、図３の処理で手振れ画像が除かれ、図４の処理で露出不良画像が除かれるようにした。一方、ブラケットや連写などの複数撮影画像は、同様に手振れ露出不良が除かれた上で、合焦評価がなされ、合焦程度の最も高い画像１枚若しくは数枚が代表画像として選択されるようにした。そして、これらの代表画像及び除かれなかった単写画像をお勧め選択画像とするようにした。また、イメージセレクトに応じ、以下のように、手振れと露出不良の判断基準を修正するようにした。
【０１２３】
ポートレート：手振れを厳しく評価する（判断基準の設定値を高めにする）。人物写真なのでぼけた写真は極力排除したいためである。
【０１２４】
夜景：手振れをゆるく評価し、露出不良もゆるく評価（適正露出範囲を広め）する。暗いところでの撮影なので適正露出範囲を外れやすく、また、長時間露出となりやすいので手ぶれも生じ易い。したがって、ある程度評価を甘くしないと必要な写真までお勧めから外されかねないためである。
【０１２５】
スポーツ：手振れをゆるく評価する。動きのある被写体の場合、手振れを生じ易いのである程度は容認する。
【０１２６】
露出不良：たとえＡＥロックや自動露出機構を用いた場合でも露出不良となる場合があるのでこれを排除対象とする。ＡＥにおいても露出不良が発生するのは、例えば、撮影者の技量不足により、不適切な位置でスポット測光したり、自動露出により適正露出が得られたが撮影の瞬間に日が陰って照明の状態が変化してしまう場合などがあるためである。
【０１２７】
このようにしてお勧め選択を、撮影条件や撮影種別対応に評価して良好なるものを自動的に選択処理するようにしており、しかも、実際に撮影された結果に基づいてその露出適正を判断するので、確実な評価ができる。
【０１２８】
なお、本発明は上述した実施例に限定されるものではなく、種々変形して実施可能であり、例えば、上述の実施例は電子カメラについてその詳細を説明したが、カメラに限らず、画像再生や編集などに供するための画像処理装置などに応用可能である。また、実施例では、撮影時のＡＦ評価値を選択評価指標値ファイルに含めるようにしたが、本発明はこの例に限らない。例えば、画像ファイルのサムネイル画像や本体画像を解析してコントラスト値（ＡＦ評価値）を算出し、処理に用いるようにしても良い。
【０１２９】
また、実施例として記載した手法は、コンピュータに実行させることのできるプログラムとして、磁気ディスク（フロッピーディスク、ハードディスクなど）、光ディスク（ＣＤ−ＲＯＭ、ＤＶＤなど）、半導体メモリなどの記録媒体に格納して頒布したり、通信回線を介して伝送して頒布したりすることもできる。
【０１３０】
【発明の効果】
以上、詳述したように本発明によれば、撮影画像と手振れに関する情報とを関連づけて記録し、撮影後のプリント処理する際、記録された画像から所定の基準として少なくとも手振れに関する情報と露出評価値とに基づいて１以上の画像を選択し、この選択された画像に対して印刷する旨のプリント予約ファイルを生成することにより、多数の画像の中から、映像として質が良いと評価される画像を自動選択することができるので、大量の写真を記憶媒体に記憶した場合においても、質の良い写真について自動選別して処理することができ、従って、操作性が格段に向上する電子カメラおよび画像処理装置を提供することができる。
【図面の簡単な説明】
【図１】本発明を説明するための図であって、本発明による電子カメラの全体的な構成を示すブロック図である。
【図２】本発明を説明するための図であって、本発明による電子カメラにおける記録媒体２９に記録する画像と選択評価指標値の情報の記録形式の例を説明するための図である。
【図３】本発明を説明するための図であって、本発明装置における手振れ評価処理の手順を示すフローチャートである。
【図４】本発明を説明するための図であって、本発明装置における画像の明るさ評価処理の手順を示すフローチャートである。
【図５】本発明を説明するための図であって、本発明装置におけるＡＦ評価およびお勧めグループ選別処理の手順を示すフローチャートである。
【図６】本発明を説明するための図であって、本発明装置におけるお勧め選択の処理の全体を示すフローチャートである。
【図７】本発明を説明するための図であって、本発明装置におけるお勧め選択の使い方の手順を示すフローチャートである。
【符号の説明】
１…電子カメラ、１０…データバス、１１…レンズ系、１２…ＣＣＤ素子、１３…撮像プロセス、１４…Ａ／Ｄ（アナログ／デジタル）変換器、１５…タイミング生成器、１６…ＡＥ（自動露出）・ＡＦ（オートフォーカス）機構、１７…手振れ防止機構、１８…メモリコントローラ、１９…メモリ、２０…メイン処理部、２０ａ…画像処理部、２０ｂ…圧縮伸長処理部、２０ｃ…表示制御部、２０ｄ…制御部、２０ｄ１…露出評価部、２０ｄ２…ＡＦ評価値算出部、２０ｄ３…選択評価指標値生成部、２０ｄ４…選択判定部、２０ｄ５…各種処理部、２１…管理処理部、２２…レリーズボタン、２３…操作キー、２４…確定ボタン、２５…コントロールパネル、２６…データ転送インタフェース、２７…記録／再生インターフェース、２８…記録媒体スロット、２９…記録媒体、３０…表示用液晶パネル（ＴＦＴパネル）、３１…携帯電話機等の通信装置。
【図１】
0004347498.tif 000002
【図２】
0004347498.tif 000003
【図３】
0004347498.tif 000004
【図４】
0004347498.tif 000005
【図５】
0004347498.tif 000006
【図６】
0004347498.tif 000007
【図７】
0004347498.tif 000008